(57)【要約】ソール要素（２）及び靴上部（３）を含む靴（１）、特に運動靴であって、ソール要素（２）及び靴上部（３）は、ワイヤ状接続要素（４）がソール要素（２）及び靴上部（３）の目状又は筒状のセクション（５、６）を通して案内されることによって一緒に保持される。再利用時に靴上部及びソールを容易に分離し、またそれとは別に靴上部及びソールを交換可能にするために、目状又は筒状のセクション（５）がソール要素（２）の横方向外側領域に配置され、また、目状又は筒状のセクション（６）が靴上部（３）の横方向外側領域に配置される。【選択図】図１
2015533590.tif 000002
【特許請求の範囲】
【請求項１】
ソール要素（２）及び靴上部（３）を備える靴（１）、特に運動靴であって、前記ソール要素（２）及び前記靴上部（３）は、ワイヤ状接続要素（４）が前記ソール要素（２）及び前記靴上部（３）の目状又は筒状のセクション（５、６）を通して案内されることによって一緒に保持され、
前記目状又は筒状のセクション（５）は前記ソール要素（２）の横方向外側領域に配置されること、及び、前記目状又は筒状のセクション（６）は前記靴上部（３）の横方向外側領域に配置される
ことを特徴とする靴特に運動靴。
【請求項２】
前記ソール要素（２）の前記目状又は筒状のセクション（５）、及び、前記靴上部（３）の前記目状又は筒状のセクション（６）は、接続されたソール要素（２）及び靴上部（３）において位置合わせされて配置され、前記靴（１）の外周に沿って交互に配置される
請求項１に記載の靴。
【請求項３】
前記ソール要素（２）の前記目状又は筒状のセクション（５）及び前記靴上部（３）の前記目状又は筒状のセクション（６）は、前記靴（１）の全周に沿って相補的かつ実質的に閉じた目状又は筒状の構造を形成する
請求項２に記載の靴。
【請求項４】
前記靴上部（３）は、少なくとも２層の構造として少なくとも部分的に設計され、外側部分（７）及び内側部分（８）、特に内張りを含み、前記内側部分（８）は、前記靴上部（３）の底部側の周りに周方向に設計され、接続されたソール要素（２）及び靴上部（３）において前記ソール要素（２）に載る
請求項１ないし３のいずれかに記載の靴。
【請求項５】
前記ソール要素（２）の前記目状又は筒状のセクション（５）は、前記ソール要素（２）と同じ材料から直接的に形成される
請求項１ないし４のいずれかに記載の靴。
【請求項６】
前記ソール要素（２）の前記目状又は筒状のセクション（５）はスリット（９）を含み、該スリット（９）は前記靴（１）の外周の方向に延び、該スリット（９）は、前記目状又は筒状のセクション（５）の、前記靴から離れるように外側に方向付けられる面側（１０）に配置される
請求項１ないし５のいずれかに記載の靴。
【請求項７】
前記靴上部（３）の前記目状又は筒状のセクション（６）は、前記靴上部（３）のループ状の縫い合わせられるセクション、特に前記２層に形成される靴上部（３）の前記外側部分（７）によって形成される
請求項１ないし６のいずれかに記載の靴。
【請求項８】
前記ソール要素（２）は、少なくともアウトソール（１１）及びミッドソール（１２）を含む複合部分を含む
請求項１ないし７のいずれかに記載の靴。
【請求項９】
前記ソール要素（２）は格子骨組み構造（１３）を含み、前記目状又は筒状のセクション（５）は前記格子骨組み構造（１３）の部分である
請求項１ないし８のいずれかに記載の靴。
【請求項１０】
前記格子骨組み構造（１３）は、互いに接続される複数の格子ロッド（１４）を含む
請求項９に記載の靴。
【請求項１１】
前記複合部分は、その底部側に、前記格子ロッド（１４）の広がりに適合される溝状凹部を含み、前記格子骨組み構造（１３）及び前記複合部分（１１、１２）は、一緒にくっつけることによって互いに形状嵌めされて接続される
請求項８または１０に記載の靴。
【請求項１２】
少なくとも２つの格子ロッド（１４）がそれぞれ目状又は筒状のセクション（５）につながり、該目状又は筒状のセクション（５）を前記格子骨組み構造（１３）に固定する
請求項１０または１１に記載の靴。
【請求項１３】
前記格子骨組み構造（１３）は、プラスチック材料、特に圧密プラスチック材料から製造されること、及び、前記複合部分（１１、１２）は、プラスチック材料、特に発泡プラスチックから少なくとも部分的に製造され、前記格子骨組み構造（１３）の前記プラスチック材料は前記複合部分（１１、１２）の前記プラスチック材料よりも硬い
請求項８または９に記載の靴。
【請求項１４】
前記ワイヤ状接続要素（４）は抗張力ロープであり、該ロープは好ましくはプラスチック材料からなるか、又はプラスチック材料を含む
請求項１ないし１３のいずれかに記載の靴。
【請求項１５】
前記ワイヤ状接続要素（４）の２つの端は、クランプ要素によって一緒に接続される
請求項１４に記載の靴。
【発明の詳細な説明】
【技術分野】
【０００１】
本発明は、ソール要素及び靴上部を備える靴、特に運動靴であって、ソール要素及び靴上部は、ワイヤ状接続要素がソール要素及び靴上部の目状又は筒状のセクションを通して案内されることによって一緒に保持される、靴、特に運動靴に関する。
【背景技術】
【０００２】
そのような靴は、例えば特許文献１から既知である。この場合、靴上部はその底部側に筒状のセクションを有する。ソールは、その上側に、靴上部の筒状のセクションが噛み合うことができる溝状凹部を有する。ソールの、それらの凹部のうちの２つの間には筒状のセクションが設けられる。そのため、靴上部がソールに取り付けられると、ワイヤを挿入して互いに着脱可能に接続される靴上部及びソールを接続することができる周方向筒構造が形成される。このため、ソールは、その横方向領域に、ワイヤが上記筒構造に入ることを可能にする、ワイヤの挿入及び取り出しチャネルを含む。
【０００３】
そのため、ソール及び靴上部を着脱可能に接続することができ、ワイヤは、双方の部分を引き離すために挿入及び取り出しチャネルを介して取り外される。これは、一方では、再利用のために、通常は異なる材料からなるソール及び靴上部を分離するのに用いることができる。別様には、そのため、靴上部及びソールを交換し、それぞれの他方の部分を使用し続けることが概して可能である。
【０００４】
上述した既知の解決策では、特にソールの製造は比較的複雑であり、したがって高価であることが問題である。さらに、接続ワイヤを挿入及び取り出しチャネルに通すことは比較的複雑であるとともに時間がかかる。挿入及び取り出しチャネルの汚染並びに閉塞の場合、汚染及び閉塞を除去するためにワイヤにアクセスして新たなワイヤをそれぞれ挿入することが常に問題となる可能性がある。
【先行技術文献】
【特許文献】
【０００５】
【特許文献１】米国特許出願公開第２００９／０３１３８５１号
【発明の概要】
【発明が解決しようとする課題】
【０００６】
本発明の目的は、ワイヤ状接続要素によって靴上部とソールとの間の接続を確立及び解除することが容易に可能となる、一般的な種類の靴を更に発展させることである。それによって、一方では、その可能性は、再利用の場合に靴を分離し、すなわち、靴上部及びソールを互いから分離するために改良され、他方で、必要であれば靴上部及びソールを互いから分離し、ワイヤ状接続要素によって再び組み付けるように、改良された可能性を作り出す。
【課題を解決するための手段】
【０００７】
本発明によるこの目的の解決策は、目状又は筒状のセクションがソール要素の横方向外側領域に配置されること、及び、目状又は筒状のセクションが靴上部の横方向外側領域に配置されることを特徴とする。
【０００８】
ソール要素の目状又は筒状（筒形状）のセクション、及び、靴上部の目状又は筒状のセクションは好ましくは、靴の周方向に見て、接続されたソール要素及び靴上部において位置合わせされて配置され、靴の外周に沿って交互に配置される。ソール要素の目状又は筒状のセクション及び靴上部の目状又は筒状のセクションはそれによって、好ましくは、靴の全周に沿って相補的かつ実質的に閉じた目状又は筒状の構造を形成する。
【０００９】
本発明の好ましい実施形態によると、靴上部は、少なくとも２層の構造として少なくとも部分的に設計され、外側部分及び内側部分、特に内張りを含み、内側部分は、靴上部の底部側の周りに周方向に設計され、接続されたソール要素及び靴上部においてソール要素に載る。
【００１０】
好ましくは、ソール要素の目状又は筒状のセクションは、ソール要素と同じ材料から直接的に形成される。
【００１１】
ソール要素の目状又は筒状のセクションはスリットを含むことができ、このスリットは靴の外周の方向に延び、このスリットは、目状又は筒状のセクションの、靴から離れるように外側に方向付けられる面側に配置される。それによって、ワイヤ状接続要素を通すことを容易にすることができる。
【００１２】
靴上部の目状又は筒状のセクションは、靴上部のループ状の縫い合わせられるセクション、特に２層に形成される靴上部の外側部分によって形成することができる。
【００１３】
ソール要素は、少なくともアウトソール及びミッドソールを含む複合部分を含むことができる。しかし、複合部分が一部品要素として作られることも可能である。この場合、ミッドソールはアウトソールから同時に形成することができ；それによって、それぞれの密な耐摩耗性材料が有益である。
【００１４】
複合部分がミッドソール及びアウトソールからなる場合、好ましくは、ミッドソールには発泡材料が用いられ、一方で、アウトソールはこの場合むしろ圧密材料から作られ；ゴム又はプラスチック材料からなることができる。
【００１５】
本発明の更に好ましい実施形態によると、ソール要素は格子骨組み構造を含み、目状又は筒状のセクションは格子骨組み構造の部分である。格子骨組み構造は好ましくは、互いに接続される複数の格子ロッドを含む。ソールの複合部分はそれによって、その底部側に、格子ロッドの広がりに適合される溝状凹部を含むことができ、格子骨組み構造及び複合部分は、一緒にくっつけることによって互いに形状嵌めされて接続される。好ましくは、接続はそれによって、糊付けではなく、形状嵌め、及び、形状嵌めから生じる摩擦係合のみによって確立される。それによって、少なくとも２つの格子ロッドがそれぞれ好ましくは目状又は筒状のセクションにつながり、目状又は筒状のセクションを格子骨組み構造に固定する。
【００１６】
格子骨組み構造は好ましくは、プラスチック材料、特に圧密プラスチック材料から製造され、一方で、複合部分は、プラスチック材料、特に発泡プラスチックから少なくとも部分的に（上述したように）製造され、格子骨組み構造のプラスチック材料は複合部分のプラスチック材料よりも硬い。
【００１７】
ワイヤ状接続要素は好ましくは、抗張力ロープであり、ロープは好ましくはプラスチック材料からなるか、又はプラスチック材料を含む。ワイヤ状接続要素の２つの端は、クランプ要素によって一緒に接続することができる。
【００１８】
靴の提案される設計によって、靴上部とソールとを着脱可能に接続することが容易に可能になる。ロープ及びワイヤのそれぞれによる２つの部分の組み付けは、ソール要素及び靴上部における目状又は筒状のセクションの規定の位置合わせに起因して容易に可能であり、ロープ及びワイヤをそれぞれ容易に挿入することができる。２つの部分（靴上部及びソール）の解放も容易に可能である。
【００１９】
靴の靴上部（脚部）及びソールは通常、再利用することによって組み付けられた又は接続された状態で再び使用することがほとんどできず、全体としてほんの僅かしか生分解可能ではない異なる材料からなる。
【００２０】
しかし、提案される概念は、上部及びソールを接続すること、並びに、上部及びソールを分離することも容易に可能にする。ソール及び上部は、靴上部及びソールにおける上述した目状又は筒状のセクションによってワイヤ状接続要素（紐）によりそれぞれ接続可能であり、接続される。紐はその端において着脱可能に接続される。
【００２１】
靴の再利用において、紐が解放されて靴から引き出され；それによって、ソール及び上部は互いから分離され、別個に再利用することができる。
【図面の簡単な説明】
【００２２】
【図１】靴上部、及び、靴上部に接続されたソールを含む靴の側面図
【図２】図１による断面Ａ−Ｂを示す図
【図３】図１による断面Ａ−Ｂの領域におけるソールの断面の斜視図
【図４】図１による断面Ｃ−Ｄを示す図
【図５】図１による断面Ｃ−Ｄの領域における靴の断面の斜視図
【図６】ソール要素及び靴上部における筒状のセクションを示す、図１による断面Ｅ−Ｆの概略図
【図７】ソール要素の部分である格子骨組み構造の斜視図
【発明を実施するための形態】
【００２３】
図面に、本発明の実施形態が示される。
【００２４】
図１において、靴１が側面図で示されている。靴１はソール要素２及び靴上部（脚部）３を有する。部分２及び３の双方は、互いに着脱可能に接続される。２つの部分の接続は、現在は、ソール要素２及び靴上部３にそれぞれ配置される、複数の筒状（筒形状）セクション５及び６によって行われる。図６に示されている断面Ｅ−Ｆから分かるように、ソール要素２のセクション５及び靴上部３のセクション６は互いに補完するため、ソール要素２及び靴上部３が一緒に接続されると、靴１の意図される使用の間の状態に対応するため、靴１の全周を囲む閉じた外周の筒形状構造が与えられる。この筒形状構造に、ワイヤ状接続要素４（ロープ）が通され、そのため、双方の部分２及び３は互いに着脱可能に接続される。
【００２５】
ソール要素２の設計は図２及び図３から明らかであり、靴上部３の設計は図４及び図５から明らかである。
【００２６】
したがって、ソールは、図１、図３及び図５の概要から明らかとなるように、靴の交互のセクションの長手方向に構成される。ソール要素２における筒状のセクション５の領域では（図３を参照のこと）、ソール要素２は、第１の内側部分１１’及び第２の外側部分１１’’を有する２部分のアウトソール１１を有する。靴上部３における筒状のセクション６の領域では（図５を参照のこと）、ソール要素２は、アウトソール１１に関して、外側部分１１’’のみを有する。
【００２７】
しかし、ミッドソール１２が、靴及びソールのそれぞれの長手方向延長部全体に沿って延びる。
【００２８】
アウトソール１１及びミッドソール１２はそれによって、その縁領域に、ロープを通すための筒状のセクション５を含む複合部分に接続される。しかし、２つの隣接するセクション５の間には、靴上部３がソール要素２に取り付けられると靴上部３のセクション６を入れるように設計されている凹部が位置する。
【００２９】
次に、ソール要素２と靴上部３との間の堅い接続が、ロープ４をセクション５、６に通すことによって確立される。
【００３０】
靴上部３はこの実施形態では２層で設計される。靴上部３は、互いに接続される（例えば糊付けされる）、外側部分７及び内張りの形態の内側部分８を有する。図５において最も良く分かるように、外側部分７は、靴上部３に筒状のセクション６を形成するループが生じるように、内側部分８との縫い目１５及び１６の２つの位置において縫い付けられる。この縫い合わせられる領域では、周方向に延びるバンド（例えば革テープ１７、図４を参照のこと）を補強のために外側部分７と内側部分８との間に挿入し、縫い合わせることができる。
【００３１】
図２及び図４において分かるように、ソール要素２の筒状のセクション５には、その外側に方向付けられる面側１０にスリット９を設けることができ、このスリットは周方向に延びる。このスリットによって、靴上部３及びソール要素２を接続する間に、ロープ４を筒状のセクション５に留めることが容易に可能になる。
【００３２】
更に好ましい実施形態が、格子骨組み構造１３を示す図７において分かる。この構造は、複数の格子ロッド１４を含み、その端に筒状のセクション５が形成される。この場合、アウトソール１１及びミッドソール１２のそれぞれには、格子骨組み構造１３の格子ロッド１４が挿入される溝形状の凹部が設けられる（以下の説明を参照のこと）。
【００３３】
したがって、好ましい実施形態によると、ソール要素２は、好ましくは持続可能で再利用可能な及び／又は生分解可能なプラスチック材料からなるミッドソール１２からなる。ミッドソール１２の下にはアウトソール１１が配置され、アウトソール１１は、２つの部分１１’及び１１’’のセクション（すなわち、ソール要素２において目状又は筒状のセクション５が延在する領域において、図３を参照のこと）、及び、一方の部分１１’のみのセクション（すなわち、靴上部３において目状又は筒状のセクション６が延在する領域において、図５を参照のこと）からなる。その結果生じる靴１の外観が図１において分かる。
【００３４】
格子骨組み構造１３（薄板構造）は、ソール要素２の部分であり、アウトソール１１及びミッドソール１２のそれぞれにおいて、格子骨組み構造１３の格子ロッド１４の広がりに対応する溝形状の凹部が底部側に配置される（これらの部分の射出成形で形成される）ように、アウトソール１１に、及びミッドソール１２にもそれぞれ埋め込まれる。格子骨組み構造１３はしたがって、ミッドソール１２及びアウトソール１１と一緒に形状嵌めしてくっつけることができる。これによって、格子ロッド及び溝形状の凹部のそれぞれの幅寸法、並びに、互いに対するそれらの許容差（toleration）に起因して、摩擦係合も生じる。
【００３５】
溝形状の凹部はしたがって、その格子ロッド１４を有する格子構造を、アウトソール及びミッドソールにそれぞれ正確に圧入することを可能にする。これは好ましくは、接着剤を使用することなく行われる。
【００３６】
格子構造１３は、靴上部３の横方向領域まで、ミッドソール１２及び靴のそれぞれの底部に沿って全体的に延びるか、又は同様に部分的にしか延びない。格子骨組み構造１３は、靴上部３においてワイヤ状接続要素によって保持される。そのために、接続要素４は、ソール要素２の目状又は筒状のセクション５を通って、及び、靴上部３の目状又は筒状のセクション６を通って交互に案内される。
【００３７】
筒形状のセクション５は、２つ以上の格子ロッド１４を接続する。筒形状のセクション５は好ましくは、底部側、又は、靴の内側から離れるように方向付けられる面側１０に開口し、すなわちここではスリット９を有し；これは紐の挿入を容易にする。セクション５がフック形状で設計される限り；紐はこの場合、底部側から容易に引っ掛けるか又は留めることができるため、通すことが必要ではない。
【００３８】
ソール要素２の筒状のセクション５は、一方では、靴上部３の格子骨組み構造１３の固定さえも可能になり、足、すなわち足の前部をそれぞれ曲げるときに、格子骨組み構造１３が割れないように、それらの配置及び長さに関して選択され；そうでなければ、足は、その屈曲性においていなかる大きな制限も受けないはずである。
【００３９】
格子骨組み構造１３は、底部領域がアウトソールと面一であるものとすることができるが；好ましくは、走る間の摩耗を回避するために、アウトソール及びミッドソールのそれぞれの溝形状の凹部内で少しだけ後方に変位する。
【００４０】
格子骨組み構造１３は、特に、脚部との接続の分離を生じる可能性がある、筒状のセクション５の強すぎる圧縮及び強すぎる曲げをそれぞれ回避するために、アウトソール及びミッドソールのそれぞれよりも硬い材料から製造される。
【００４１】
アウトソール１１及びミッドソール１２はそれぞれ、好ましくは、発泡材料、したがって減衰材料から製造される。その密度は好ましくは０．１５〜０．７５ｇ／ｃｍ３である。
【００４２】
しかし、格子骨組み構造１３、したがって筒状のセクション５は、好ましくは圧密プラスチック材料から、好ましくは再利用可能な又は生分解可能な材料からなる。アウトソール及びミッドソールに関して、好ましくはＥＶＡ、ＰＵＲ、ＰＥ等の減衰材料を考慮することができるが、この場合も同様に好ましくは再利用可能な又は生分解可能な材料も考慮することができる。
【００４３】
脚部（靴上部）は好ましくは、ジグザグの縫い目で固定されるか又は完全なモカシンである。脚部は、ワイヤ状接続要素４を受け入れることができる目状又は筒状のセクション６を含む。
【００４４】
ワイヤ状接続要素は金属又はプラスチック材料からなることができる。好ましくはアラミド繊維であるが、ほんの僅か長くなることができる天然繊維の紐でもある。
【００４５】
紐の端は、それぞれ通して引っ掛けた後で接続クリップによって着脱可能に接続することができる。
【００４６】
接続技法は上記の実施形態において説明され、この場合、ソール要素２及び靴上部３において、周方向に相補的な閉構造を形成する筒形状のセクション５及び６がそれぞれ配置されるため、接続要素４（ロープ）は筒形状のセクション５及び６内を案内され、これはこの場合、靴１の取り付けられた状態ではそれ以上見えない。
【００４７】
しかし、実施形態に示されていないが、靴上部３のセクション６が単純な小穴として設計される場合に本発明に従って使用することもできる他の可能性がある。
【００４８】
そのため、図示されていない別の解決策によると、小穴（孔）をソール要素２の筒状のセクション５の高さにおいて靴上部３に加工することができる。この場合、接続要素（ロープ）は、靴上部３の上記小穴、及び、ソール要素２の筒状のセクション５によって出し入れするように通される。
【００４９】
別の解決策では、靴上部３の、セクション６が図４に従って設けられる領域に凹部（細長い孔）が加工される。それらの凹部には、別個の革又はプラスチック部分を内側から挿入することができ、これは、靴上部３の外面から外側に突出し、ロープを通すことができる目状又は筒状のセクションを形成する。それによって、目状又は筒状のセクション６を、或るセクションでは半円に設計することができるため、この場合も同様に、ソール要素２の目状又は筒状のセクション５と相補的な周方向形態を形成することができる。この解決策は、紐を出し入れするように通すことが必要ではなく、紐を外側から交互に導くことのみが必要とされるという利点を有する。
【００５０】
更なる解決策では、靴上部３は２つの部分で設計され、すなわち、実際の靴上部を形成する上側部分、及び、それぞれのループ（筒状のセクション）が設けられる、周方向バンドとして形成される底部を含み；次いで双方の脚部の部分が接続される。
【符号の説明】
【００５１】
１  靴
２  ソール要素
３  靴上部
４  ワイヤ状接続要素
５  ソール要素の目状又は筒状のセクション
６  靴上部の目状又は筒状のセクション
７  靴上部の外側部分
８  靴上部の内側部分（内張り）
９  スリット
１０  面側
１１  アウトソール
１１’  アウトソールの第１の部分
１１’’  アウトソールの第２の部分
１２  ミッドソール
１３  格子骨組み構造
１４  格子ロッド
１５  縫い目の位置
１６  縫い目の位置
１７  革テープ
【図１】
2015533590.tif 000003
【図２】
2015533590.tif 000004
【図３】
2015533590.tif 000005
【図４】
2015533590.tif 000006
【図５】
2015533590.tif 000007
【図６】
2015533590.tif 000008
【図７】
2015533590.tif 000009
【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
ソール要素（２）及び靴上部（３）を備える靴（１）、特に運動靴であって、前記ソール要素（２）及び前記靴上部（３）は、ワイヤ状接続要素（４）が前記ソール要素（２）及び前記靴上部（３）の目状又は筒状のセクション（５、６）を通して案内されることによって一緒に保持され、
前記目状又は筒状のセクション（５）は前記ソール要素（２）の横方向外側領域に配置されること、及び、前記目状又は筒状のセクション（６）は前記靴上部（３）の横方向外側領域に配置され、
前記靴上部（３）は、少なくとも２層の構造として少なくとも部分的に設計され、外側部分（７）及び内側部分（８）、特に内張りを含み、前記内側部分（８）は、前記靴上部（３）の底部側の周りに周方向に設計され、接続されたソール要素（２）及び靴上部（３）において前記ソール要素（２）に載る
ことを特徴とする靴特に運動靴。
【請求項２】
前記ソール要素（２）の前記目状又は筒状のセクション（５）、及び、前記靴上部（３）の前記目状又は筒状のセクション（６）は、接続されたソール要素（２）及び靴上部（３）において位置合わせされて配置され、前記靴（１）の外周に沿って交互に配置される
請求項１に記載の靴。
【請求項３】
前記ソール要素（２）の前記目状又は筒状のセクション（５）及び前記靴上部（３）の前記目状又は筒状のセクション（６）は、前記靴（１）の全周に沿って相補的かつ実質的に閉じた目状又は筒状の構造を形成する
請求項２に記載の靴。
【請求項４】
前記ソール要素（２）の前記目状又は筒状のセクション（５）は、前記ソール要素（２）と同じ材料から直接的に形成される
請求項１ないし３のいずれかに記載の靴。
【請求項５】
前記ソール要素（２）の前記目状又は筒状のセクション（５）はスリット（９）を含み、該スリット（９）は前記靴（１）の外周の方向に延び、該スリット（９）は、前記目状又は筒状のセクション（５）の、前記靴から離れるように外側に方向付けられる面側（１０）に配置される
請求項１ないし４のいずれかに記載の靴。
【請求項６】
前記靴上部（３）の前記目状又は筒状のセクション（６）は、前記靴上部（３）のループ状の縫い合わせられるセクション、特に前記２層に形成される靴上部（３）の前記外側部分（７）によって形成される
請求項１ないし５のいずれかに記載の靴。
【請求項７】
前記ソール要素（２）は、少なくともアウトソール（１１）及びミッドソール（１２）を含む複合部分を含む
請求項１ないし６のいずれかに記載の靴。
【請求項８】
前記ソール要素（２）は格子骨組み構造（１３）を含み、前記目状又は筒状のセクション（５）は前記格子骨組み構造（１３）の部分である
請求項１ないし７のいずれかに記載の靴。
【請求項９】
前記格子骨組み構造（１３）は、互いに接続される複数の格子ロッド（１４）を含む
請求項８に記載の靴。
【請求項１０】
前記複合部分は、その底部側に、前記格子ロッド（１４）の広がりに適合される溝状凹部を含み、前記格子骨組み構造（１３）及び前記複合部分（１１、１２）は、一緒にくっつけることによって互いに形状嵌めされて接続される
請求項７または９に記載の靴。
【請求項１１】
少なくとも２つの格子ロッド（１４）がそれぞれ目状又は筒状のセクション（５）につながり、該目状又は筒状のセクション（５）を前記格子骨組み構造（１３）に固定する
請求項９または１０に記載の靴。
【請求項１２】
前記格子骨組み構造（１３）は、プラスチック材料、特に圧密プラスチック材料から製造されること、及び、前記複合部分（１１、１２）は、プラスチック材料、特に発泡プラスチックから少なくとも部分的に製造され、前記格子骨組み構造（１３）の前記プラスチック材料は前記複合部分（１１、１２）の前記プラスチック材料よりも硬い
請求項７または８に記載の靴。
【請求項１３】
前記ワイヤ状接続要素（４）は抗張力ロープであり、該ロープは好ましくはプラスチック材料からなるか、又はプラスチック材料を含む
請求項１ないし１２のいずれかに記載の靴。
【請求項１４】
前記ワイヤ状接続要素（４）の２つの端は、クランプ要素によって一緒に接続される
請求項１３に記載の靴。
【手続補正２】
【補正対象書類名】明細書
【補正対象項目名】０００１
【補正方法】変更
【補正の内容】
【０００１】
本発明は、ソール要素及び靴上部を備える靴、特に運動靴であって、ソール要素及び靴上部は、ワイヤ状接続要素がソール要素及び靴上部の目状又は筒状のセクションを通して案内されることによって一緒に保持され、目状又は筒状のセクションはソール要素の横方向外側領域に配置され、目状又は筒状のセクションは靴上部の横方向外側領域に配置される靴、特に運動靴に関する。
【手続補正３】
【補正対象書類名】明細書
【補正対象項目名】０００２
【補正方法】変更
【補正の内容】
【０００２】
そのような靴は、例えば特許文献１及び２から既知である。この場合、靴上部はその底部側に筒状のセクションを有する。ソールは、その上側に、靴上部の筒状のセクションが噛み合うことができる溝状凹部を有する。ソールの、それらの凹部のうちの２つの間には筒状のセクションが設けられる。そのため、靴上部がソールに取り付けられると、ワイヤを挿入して互いに着脱可能に接続される靴上部及びソールを接続することができる周方向筒構造が形成される。このため、ソールは、その横方向領域に、ワイヤが上記筒構造に入ることを可能にする、ワイヤの挿入及び取り出しチャネルを含む。同様の解決策が、特許文献３〜５に示されている。
【手続補正４】
【補正対象書類名】明細書
【補正対象項目名】０００５
【補正方法】変更
【補正の内容】
【０００５】
【特許文献１】国際公開第２００８／１１７２７０号
【特許文献２】米国特許出願公開第２００９／０３１３８５１号
【特許文献３】カナダ特許第１１１７２９０号
【特許文献４】米国特許第２５５２９４３号
【特許文献５】独国特許第４５６１８５号
【手続補正５】
【補正対象書類名】明細書
【補正対象項目名】０００７
【補正方法】変更
【補正の内容】
【０００７】
本発明によるこの目的の解決策は、靴上部が、少なくとも２層の構造として少なくとも部分的に設計され、外側部分及び内側部分を含み、内側部分は内張りであり、靴上部の底部側の周りに周方向に設計され、接続されたソール要素及び靴上部においてソール要素に載ることを特徴とする。
【手続補正６】
【補正対象書類名】明細書
【補正対象項目名】０００９
【補正方法】変更
【補正の内容】
【０００９】
好ましくは、ソール要素の目状又は筒状のセクションは、ソール要素と同じ材料から直接的に形成される。
【国際調査報告】
2015533590.tif 000010
2015533590.tif 000011
2015533590.tif 000012
2015533590.tif 000013